(57)【要約】 【課題】    特別な機器を必要とせず複雑な計算が不要なプロジェクタ冷却ファンの制御方法を提案する。【解決手段】  投影装置は、設置状態を設定する設置状態設定部と、冷却を行う冷却装置と、状態設定部から取得した設置状態情報により、冷却装置の作動具合の制御を行う冷却装置制御部を有する。【選択図】図１
2018101077.tif 000002
【特許請求の範囲】
【請求項１】
投影装置であって、
前記投影装置の設置状態を設定する設置状態設定部と、
前記投影装置の冷却を行う冷却装置と、
前記設置状態設定部から取得した設置状態情報により、前記冷却装置の作動具合の制御を行う冷却装置制御部を有することを特徴とする投影装置。
【請求項２】
前記冷却装置制御部は入力音声の有無に応じて前記冷却装置制御部の動作を変更することを特徴とする請求項１に記載の投影装置。
【請求項３】
前記冷却装置制御部は入力音声の大小に応じて前記冷却装置制御部の動作を変更することを特徴とする請求項１に記載の投影装置。
【請求項４】
前記冷却装置制御部は前記投影装置が保持する音量調整値の有無に応じて前記冷却装置制御部の動作を変更することを特徴とする請求項１に記載の投影装置。
【請求項５】
前記冷却装置制御部は前記投影装置が保持する音量調整値の大小に応じて前記冷却装置制御部の動作を変更することを特徴とする請求項１に記載の投影装置。
【請求項６】
冷却装置の動作モードを設定する冷却モード設定部を更に備え、
前記冷却装置制御部は、前記冷却モード設定部から取得した値により、前記冷却装置制御部の動作を変更することを特徴とする請求項１乃至５のいずれか１項に記載の投影装置。
【請求項７】
投影画像を形成する投影光学系と、
前記投影光学系に関する情報を記憶する光学系記憶部を備え、
前記光学系記憶部から取得した値により、前記冷却装置制御部の動作を変更する事を特徴とする請求項１乃至６のいずれか１項に記載の投影装置。
【請求項８】
投影画像を投影する光源を備え、
前記光源の明るさと連動して、前記冷却装置制御部の動作を変更する事を特徴とする請求項１乃至７のいずれか１項に記載の投影装置。
【発明の詳細な説明】
【技術分野】
【０００１】
本発明は投影装置の冷却装置制御に関する。
【背景技術】
【０００２】
近年、プロジェクタの高輝度化や高解像度化が進んでおり、光源や液晶パネル面積が大きくなっている。そのため、プロジェクタを正常に動作させるために必要な冷却性能も高まってきている。プロジェクタ内部を冷却するために冷却ファンを備えるプロジェクタが多く存在するが、より強く冷却するためにファンの回転数を上げると、それに比例してファンが発する騒音も大きくなる。そのため、単純に回転数を上げるだけではユーザビリティを損なってしまうので、適切な回転数でプロジェクタを冷却することが重要である。
【０００３】
特許文献１では、スピーカから出力される音量とファン騒音の比較、プロジェクタ周囲の明るさや騒音の大きさなどによりファンの回転数を制御する技術が開示されている。特許文献２では、プロジェクタに入力された映像を所定時間解析し、映像の音量レベルに基づいてプロジェクタのランプ光量とファン回転数を制御する技術が開示されている。
【先行技術文献】
【特許文献】
【０００４】
【特許文献１】特開２０１４−３２３１９号公報
【特許文献２】特開２００９−５３４７６号公報
【発明の概要】
【発明が解決しようとする課題】
【０００５】
特許文献１に開示されている方法では、プロジェクタ投影画面視聴者（以下視聴者と記述する）が近くにおらず、ファン騒音を考慮が不要な状況においてもファン制御を行う可能性がある。また、プロジェクタの周辺光量や周辺騒音を取得するためのデバイスをプロジェクタが備えていなければ実現することができない。特許文献２に開示されているような映像を解析する方法の場合、映像解析のための計算が必要である。一般的に、プロジェクタのような組込み機器は余剰な処理能力を備えていない事が多いため、計算性能が十分でない場合には実現できない。
【０００６】
そこで本発明では、特別な機器を必要とせず複雑な計算が不要なプロジェクタ冷却ファンの制御方法を提案する。
【課題を解決するための手段】
【０００７】
本発明の投影装置の一例は、前記投影装置の設置状態を設定する設置状態設定部と、
前記投影装置の冷却を行う冷却装置と、前記設置状態設定部から取得した設置状態情報により、前記冷却装置の作動具合の制御を行う冷却装置制御部を有することを特徴とする。
【０００８】
また、本発明の投影装置の一例は、入力音声の有無や入力音声の大小に応じて前記冷却装置制御部の動作を変更することを特徴とする。
【０００９】
また、本発明の投影装置の一例は、冷却装置の動作モードを設定する冷却モード設定部を更に備え、前記冷却装置制御部は、前記冷却モード設定部から取得した値により、前記冷却装置制御部の動作を変更することを特徴とする。
【００１０】
また、本発明の投影装置の一例は、投影画像を形成する投影光学系と、前記投影光学系に関する情報を記憶する光学系記憶部を備え、前記光学系記憶部から取得した値により、前記冷却装置制御部の動作を変更する事を特徴とする。
【００１１】
また、本発明の投影装置の一例は、投影画像を投影する光源を備え、
前記光源の明るさと連動して、前記冷却装置制御部の動作を変更する事を特徴とする。
【００１２】
本発明の他の目的及び特徴は、以下に記載の実施例にて説明される。
【発明の効果】
【００１３】
本発明によれば、実現のために特別な機器を必要とせず、複雑な計算も不要なプロジェクタ冷却ファンの制御方法を提供することができる。
【図面の簡単な説明】
【００１４】
【図１】実施例１において、プロジェクタの冷却装置制御方法を示すフローチャートである。
【図２】実施例１におけるプロジェクタの構成を示すブロック図である。
【図３】実施例２において、プロジェクタの冷却装置制御方法を示すフローチャートである。
【図４】実施例２におけるプロジェクタの構成を示すブロック図である。
【図５】実施例３において、プロジェクタの冷却装置制御方法を示すフローチャートである。
【図６】実施例３におけるプロジェクタの構成を示すブロック図である。
【発明を実施するための形態】
【００１５】
以下、本発明の実施例について図を用いて詳細に説明する。
［実施例１］（設置状態＋音声入力）
まず、図２を参照して、本発明の実施例１におけるプロジェクタ１００の構成および動作について説明する。図２は、本実施例におけるプロジェクタ１００の構成を示すブロック図である。
【００１６】
制御部１０４は、プロジェクタ１００の外部からのプロジェクタ１００に対する操作入力に基づいて、各種設定や動作の制御および保持を行う。ここで操作入力とは、例えばリモコンによる操作や操作パネルによる操作である。
【００１７】
プロジェクタ１００は、外部機器からの映像信号を映像信号受信部１０１で受け取る。映像処理部１０２は、映像信号受信部１０１から受け取った映像信号に対して、制御部１０４の設定に応じて映像信号の明るさ変更や色度調整などの画像処理を行う。また映像処理部１０２は、必要に応じて、メニュー表示やマーカー表示など、映像信号と重畳させて表示を行う場合の画像合成処理を行う。投影光学系１０３は、映像処理部１０２が作成した画像を投影する。
【００１８】
また、プロジェクタ１００は現在の設置状態を設定および保持する設置状態設定部１０５を有する。設置状態設定部１０５には、現在プロジェクタが床や机の上などに平置きで設置されているか、天井に吊り下げられている天吊状態で設置されているか等の情報を保持する。プロジェクタ１００は設置状態が天吊状態の場合、上下反対にして天井に吊り下げられる。音量設定部１０６は、操作者により操作入力された現在の音量を保持する。
【００１９】
プロジェクタは冷却装置１０８としての冷却ファンおよび、冷却装置制御部１０７を有する。冷却ファンはプロジェクタ１００内の投影光学系１０３や光源等を冷却するための装置である。冷却装置制御部１０７は必要に応じて冷却ファンの回転数の計算を行い、必要に応じて回転数の制御を行う。続いて、図１乃至図２を用いて、本実施例におけるプロジェクタ１００の動作について説明する。
【００２０】
本実施例のプロジェクタの冷却装置制御部１０７は、図１に示すように冷却ファンの回転数の制御を行う。まず、で冷却装置制御部１０７は、設置状態設定部１０５から現在のプロジェクタ設置状態を取得する（S１００）。設置状態が天吊状態であった場合は、冷却装置制御部１０７は冷却ファンの回転数を回転数R1に設定する（S１０１）。もし設置状態が天吊状態でなかった場合は、冷却装置制御部１０７は、制御部１０４に対し現在プロジェクタ１００に対する音声入力の有無を通知するよう依頼する（S１０２）。制御部１０４は映像処理部１０２から現在入力されている映像信号に音声が含まれているか否かを取得する。
【００２１】
もし、プロジェクタ１００に音声信号が入力されていない場合、冷却装置制御部１０７は冷却ファンの回転数を回転数R２に設定する（S１０３）。プロジェクタ１００に音声信号が入力されている場合、冷却装置制御部１０７は映像処理部１０２より音声信号の大きさを受信する。冷却装置制御部１０７は、受信した音声信号の大きさと閾値Tを比較することにより、冷却ファンの回転数を回転数R３または回転数R４に設定する（S１０５、S１０６）。
【００２２】
以下、回転数R1乃至R4の設定例について説明する。プロジェクタ１００の設置状態が天吊状態の場合、プロジェクタ１００と視聴者間の距離はプロジェクタ１００が平置き状態の場合と比較して離れていると推測できるため、冷却装置制御部１０７は冷却ファンの回転数を上げたとしても視聴者への騒音の影響は低減できる。そのため、冷却装置制御部１０７は冷却ファンの回転数を通常よりも高い回転数R1に設定する。
【００２３】
プロジェクタ１００の設置状態が平置きの場合、プロジェクタ１００と視聴者間の距離はプロジェクタ１００が天吊の場合と比較して近いと推測できるため、冷却ファンの回転数を上げると視聴者が騒音の影響を受けやすいと考えられる。しかし、プロジェクタ１００への音声入力が無い場合は、視聴中の映像に音声が含まれていないため、回転数を上げても視聴者に与える影響は比較的少ないと考えられる。そのため、冷却装置制御部１０７は冷却ファンの回転数を、回転数R1と同じかそれ未満の回転数R2に設定する。
【００２４】
プロジェクタ１００の設置状態が平置きでかつプロジェクタに音声入力がある場合、音声入力の大きさによっては、冷却ファン回転音が視聴者に影響を与える可能性がある。そのため、音声入力の大きさが閾値Tと比較して大きい場合は、冷却装置制御部１０７は冷却ファンの回転数を、回転数R2と同じかそれ未満の回転数R3に設定し、閾値Tと比較して小さい場合は回転数R3と同じかそれ未満の回転数R4に設定する。
【００２５】
なお、回転数R1乃至R4の設定方法はこれらに限定されるものではない。前述した例では入力音量を閾値Tと比較した大小で回転数R3と回転数R4を設定したが、例えば閾値を複数持つ構成や、入力音量に応じて連続的に回転数を調整する場合が考えられる。また、入力音量とファン回転数を比例させるのではなく、反比例させる構成も考えられる。また、回転数R1乃至R4の大小関係は限定せずあらゆる組み合わせを含む。
【００２６】
また、入力音量の代わりに、音量設定部１０６が保持する音量調整値の有無および大小によって冷却装置制御部１０７の動作を決定する構成も考えられる。また、図１に示すフローチャートの順番はこれに限定するものではない。図１では、設置状態、音声入力有無、音声入力大小という順番に比較を行っているが、例えば初めに音声入力の有無を判定する構成や、音量によるファン回転制御は行わない構成などが考えられる。
【００２７】
本実施例によれば、冷却ファンの回転数を制御するにあたり、プロジェクタ１００の設置状態を考慮することにより、複雑な計算を必要とせずプロジェクタ冷却を効率的に行うことができ、さらに視聴者へのファン回転による騒音の影響を少なくすることができる。
【００２８】
［実施例２］（冷却モード）
次に、図３乃至図４を用いて、本発明の実施例２におけるプロジェクタ２００の構成及び動作について説明する。図３は本実施例におけるプロジェクタ動作を示すフローチャートである。図４は本実施例におけるプロジェクタ２００の構成を表すブロック図である。図３において、図１と同一の制御を行う場合は同一の符号を付し、それらの説明は省略する。同様に、図４において図２と同一の構成要素に関しては同一の符号を付し、それらの説明は省略する。
【００２９】
プロジェクタ２００の冷却モード設定部２０１は、プロジェクタ操作者によるプロジェクタ２００の冷却モード設定を保持する。冷却モードの例としては、例えば冷却ファンを冷却装置１０８として備えたプロジェクタ２００においてプロジェクタ内部の温度を通常よりも低く保つために冷却ファンの回転数を通常時と比較して上げる冷却重視モード、冷却ファン騒音を抑えるために冷却ファンの回転数を通常よりも下げる静音モード、冷却重視モードと静穏モードの間のファン回転数を設定する通常モードなどである。
【００３０】
なお、冷却モードの個数は限定せず、冷却度合を複数保持するあらゆる構成を含む。本実施例におけるプロジェクタ２００は冷却モードを冷却重視モードと通常モードの二つを備えている。続いて、図３乃至図４を用いて、本実施例におけるプロジェクタ２００の動作について説明する。
【００３１】
本実施例のプロジェクタ２００の冷却装置制御部１０７は、図３に示すように冷却ファンの回転数の制御を行う。まず、プロジェクタ２００は冷却モード設定部２０１から、現在の冷却モード設定値を取得する（S２００）。現在の冷却モード設定値が冷却モードではない（通常モードである）場合、冷却装置制御部１０７は冷却ファンの回転数をR5’に設定する（S２０１）。現在の冷却モード設定値が冷却重視モードだった場合、冷却装置制御部１０７は設置状態設定部１０５から現在のプロジェクタ設置状態を取得する（S１００）。以下は実施例１で述べた方法と同じであるので説明を省略する。
【００３２】
なお、実施例１と同じく、回転数R1’乃至R5’の設定方法はこれらに限定するものではない。また、本実施例ではプロジェクタ２００が冷却モードを二つ持っているがそれに限るものではなく、冷却モードを二つ以上持っていてもよい。また、本実施例では冷却モードが通常モードの時回転数R5’に固定しているが、本実施例で説明した冷却重視モードだった場合と同様に、設置状態や音声入力によって回転数を制御してもよい。
【００３３】
本実施例によれば、冷却モードを複数設定可能な構成であるため、冷却ファンの回転数を設置環境に適した冷却ファン回転数に設定することができる。
【００３４】
［実施例３］（レンズシフト）
次に、図５乃至図６を用いて本発明の実施例３におけるプロジェクタ３００の構成及び動作について説明する。図５は本実施例におけるプロジェクタ動作を示すフローチャートである。図６は本実施例におけるプロジェクタ３００の構成を表すブロック図である。図５において、図１と同一の制御を行う場合は同一の符号を付し、それらの説明は省略する。同様に、図６において図２と同一の構成要素に関しては同一の符号を付し、それらの説明は省略する。
【００３５】
プロジェクタ３００において投影光学系１０３aはレンズシフト機構３０１およびレンズシフト記憶部３０２を備える。レンズシフト機構３０１はプロジェクタ３００の投影光学系１０３aをシフトすることによりプロジェクタ投影画像の表示位置を移動する機構である。レンズシフト記憶部３０２は、プロジェクタ３００の現在のレンズシフト方向とその量、およびプロジェクタ３００に現在装着されている投影光学系１０３aのレンズシフト限界量を記憶する。
【００３６】
なおレンズシフト限界量は投影光学系１０３によって異なるが、プロジェクタ３００は投影光学系１０３a内部にあらかじめ記憶された不揮発領域から設定値を読み出す構成や、操作者がレンズシフトを行った時の動作を記憶しておくことにより求めてもよい。続いて、図３乃至図４を用いて、本実施例におけるプロジェクタ３００の動作について説明する。
【００３７】
本実施例のプロジェクタ３００の冷却装置制御部１０７は、図５に示すように冷却ファンの回転数制御を行う。まず、冷却装置制御部１０７は設置状態設定部１０５から現在のプロジェクタ設置状態を取得する（S３００）。そして、冷却装置制御部１０７はレンズシフト記憶部３０２から、現在のレンズシフト量とレンズシフト限界量を取得し（S３０１）、現在のレンズシフト量のレンズシフト限界量に占める割合Sを計算する（S３０２）。
【００３８】
先程までで得られた現在のレンズシフト量、計算した割合Sおよび現在のプロジェクタ設置状態を用い、プロジェクタ３００がレンズシフトにより視聴者から近付く方向または遠ざかる方向にレンズシフトしているのか及びその移動量から、冷却ファンの回転数を計算する（S３０３）。そして、冷却装置制御部１０７は計算した冷却ファン回転数を設定する（S３０４）。
【００３９】
続いて、現在のレンズシフト量、計算した割合Sおよび現在のプロジェクタ設置状態を用いた冷却ファン回転数設定について具体例を用いて説明する。例えば、プロジェクタ３００の設置状態が平置き状態の場合、レンズシフトが上方向に設定されていたとする。この場合、プロジェクタはレンズシフト未設定時と比較して、より地面に近い場所に設定されていると考えられる。
【００４０】
同様に、プロジェクタの設置状態が天吊状態の場合、レンズシフトが上方向に設定されていたら、天吊状態ではプロジェクタ３００は上下反転して設置されているため、レンズシフト未設定時と比較して視聴者から離れた位置にプロジェクタは設置されていると推測できる。視聴者から離れた位置にプロジェクタが設置されていると推測できる時は、冷却装置制御部１０７は冷却ファンの回転数を通常よりも高く設定しても冷却ファン回転騒音による視聴者への影響は少ないと考えられるため、冷却ファンの回転数を通常より高く設定する。
【００４１】
反対に、視聴者から離れた位置にプロジェクタが設置されていると推測できる場合は、冷却ファンの回転数を通常よりも低く設定する。冷却装置制御部１０７が冷却ファン回転数を決定する方法としては、先程説明したレンズシフトの情報から、閾値と回転数を設定して切替える構成や、回転数とレンズシフト量を連続的に変動させる構成などが考えられるが、これらに限定せずあらゆる構成を含む。また、実施例１および実施例２で説明した構成及び動作と組み合わせることもできる。
【００４２】
本実施例によれば、レンズシフト機構を備えるプロジェクタにおいて、複雑な計算を必要とせず、視聴者へのファン回転騒音を考慮した回転制御を行うことができる。前述の各実施例において、冷却装置制御部は各実施例で説明した方法に加え、更にプロジェクタ内部の光源の明るさと連動して冷却ファンの回転数を制御してもよい。このように、各実施例により、複雑な計算や特別な装置に依存せずに視聴者への騒音の影響を考慮した冷却ファン回転数の制御を行うことができる。
【００４３】
以上、本発明に好ましい実施形態について説明したが、本発明はこれらの実施形態に限定されず、その要旨の範囲内で種々の変形及び変更が可能である。
【符号の説明】
【００４４】
１００  プロジェクタ
１０３  投影光学系
１０７  冷却装置制御部
１０８  冷却装置
【図１】
2018101077.tif 000003
【図２】
2018101077.tif 000004
【図３】
2018101077.tif 000005
【図４】
2018101077.tif 000006
【図５】
2018101077.tif 000007
【図６】
2018101077.tif 000008